(57)【要約】【課題】プリンタスタンドにおいて、プリンタの設置姿勢を変化させて保持するだけでなく、その価値を高めるものとする。【解決手段】キャッシャーの台の上面など設置される面に接する基部１１０と、サーマルプリンタ２００が、その設置姿勢を変化させた状態（単独では横置きの姿勢で設置されるものを、縦置きの姿勢で設置する状態）で着脱可能に取り付けられる支持部１２０とが一体的に形成された本体１３０、および情報を表示する表示部１５０を備える。【選択図】図７
2011230330.tif 000002
【特許請求の範囲】
【請求項１】
設置される面に接する基部と、プリンタが、その設置姿勢を変化させた状態で着脱可能に取り付けられる支持部とが一体的に形成された本体、および情報を表示する表示部を備えたことを特徴とするプリンタスタンド。
【請求項２】
前記表示部は、前記本体のうち、前記プリンタが取り付けられる面と反対の面側に備えられていることを特徴とする請求項１に記載のプリンタスタンド。
【請求項３】
前記表示部と前記本体とはそれぞれ、互いに係合することにより前記表示部と前記本体とを一体化するとともに、互いの係合を解除することにより前記表示部と前記本体とを別体化するように、係合およびその解除を可能とした係合部を備えていることを特徴とする請求項１または２に記載のプリンタスタンド。
【請求項４】
前記本体に備えられた係合部は、前記表示部が別体化されている状態において、板状の媒体を保持可能の複数の爪により形成されていることを特徴とする請求項３に記載のプリンタスタンド。
【請求項５】
前記表示部は、前記表示部に表示させようとする情報を出力する外部の情報処理装置と接続される入力部、および前記表示部に表示させようとする情報を記憶した記憶メディアが接続されるメディア接続部のうち少なくとも一方を備えたことを特徴とする請求項１から３のうちいずれか１項に記載のプリンタスタンド。
【請求項６】
前記表示部は、タッチパネルを備え、前記表示部に表示された情報と前記タッチパネルのうち前記情報が表示された領域に対応した部分とにより、入力インターフェースとして機能することを特徴とする請求項１から５のうちいずれか１項に記載のプリンタスタンド。
【発明の詳細な説明】
【技術分野】
【０００１】
本発明はプリンタスタンドに関する。
【背景技術】
【０００２】
概略直方体の筐体を有するプリンタは、印刷された用紙等の媒体が排出される排出口を塞がない限り、横置き（全高が低くなる置き方）の姿勢でも、縦置き（全高が高くなる置き方）の姿勢でも設置することが可能である。
【０００３】
特に、各種ＰＯＳ（Point of sale system：販売時点情報管理／流通業向けＰＯＳ、外食産業向けＰＯＳ、ガソリンスタンド向けＰＯＳ、金融機関向けＰＯＳ等）に用いられることが多いプリンタでは、設置スペース等の制約などに応じて、その設置姿勢を使用者が任意に変えることが多い。
【０００４】
ここで、本来は横置きの姿勢での設置が想定されているプリンタを縦置きの姿勢に変更した場合、設置の安定状態が少なからず低下することがある。
【０００５】
そこで、そのように姿勢を変更して設置した場合であっても、設置の安定性を確保するために、姿勢を変えたプリンタに取り付けるプリンタスタンドが提案されている（特許文献１，２）。
【先行技術文献】
【特許文献】
【０００６】
【特許文献１】実開平０２−１４２０５０号公報
【特許文献２】特開２００５−２８８７４９号公報
【発明の概要】
【発明が解決しようとする課題】
【０００７】
ところで、上述したプリンタスタンドにプリンタを取り付けた縦置きの姿勢においては、横置きの姿勢におけるプリンタの上面（用紙等の媒体が排出される面等）が、使用者に向いた配置となり、横置きの姿勢におけるプリンタの下面が壁面などに向けられて設置されることが多い。
【０００８】
一方、比較的小規模な小売店等においては、一体型のキャッシュレジスタの代わりに、パーソナルコンピュータ、キャッシュドロワー（現金を収納する機器）、表示装置およびプリンタにより会計処理のシステムを構築することがある。
【０００９】
そして、そのような小売店等においては、会計を行う場所のスペースの制約により、レシート発行の用途等に用いられるプリンタを縦置きの姿勢としたうえで、さらに横置きの姿勢におけるプリンタの下面側が顧客に向けられた状態で使用されることもある。
【００１０】
本発明は上記事情に鑑みなされたものであって、利用価値を高めることができるプリンタスタンドを提供することを目的とする。
【課題を解決するための手段】
【００１１】
本発明に係るプリンタスタンドは、プリンタの設置姿勢を変化させて支持する本体の他に表示部を備え、その表示部に電子ＰＯＰ広告等各種情報を表示することで、プリンタスタンドの価値を高めたものである。
【００１２】
すなわち、本発明に係るプリンタスタンドは、設置される面（キャッシャーの台の上面など）に接する基部と、プリンタが、その設置姿勢を変化させた状態で着脱可能に取り付けられる支持部とが一体的に形成された本体、および情報を表示する表示部を備えたことを特徴とする。
【００１３】
このように構成された本発明に係るプリンタスタンドによれば、本体の支持部に、プリンタが、その設置姿勢を変化させて取り付けられた状態（プリンタ単独での設置姿勢とは異なる設置姿勢で取り付けられた状態）で、本体の基部が設置される面に接することで、プリンタを、その設置姿勢を変化させて支持するプリンタスタンドとして機能し、さらに、このプリンタスタンドに備えられた表示部が、各種の情報を表示することにより、プリンタスタンドを広告媒体等としても利用することができ、プリンタスタンドの利用価値を高めることができる。
【発明の効果】
【００１４】
本発明に係るプリンタスタンドによれば、プリンタスタンドの利用価値を高めることができる。
【図面の簡単な説明】
【００１５】
【図１】本発明の一実施形態としてのプリンタスタンドに取り付けられる一例のプリンタの斜視図（単独での使用時（横置きの姿勢）の状態）である。
【図２】図１に示したプリンタを縦置きの姿勢とした状態を示す斜視図である。
【図３】図２に示したプリンタを背面側（横置きの姿勢の状態における下面の側）から見た状態を示す斜視図である。
【図４】図１に示したプリンタが縦置きの姿勢で取り付けられる、本発明の一実施形態としてのプリンタスタンドを示す斜視図である。
【図５】図４に示したプリンタスタンドを背面側（横置きの姿勢の状態におけるプリンタの下面の側）から見た状態を示す斜視図である。
【図６】図４に示したプリンタスタンドに図に示したプリンタを縦置きの姿勢（図２に示した姿勢）で取り付けた状態を示す斜視図である。
【図７】図６に示した、プリンタが取り付けられたプリンタスタンドを背面側（横置きの姿勢の状態におけるプリンタの下面の側、表示部側）から見た状態を示す斜視図である。
【図８】本体と表示部とを別体化した状態を示す斜視図である。
【図９】表示部を、その背面（支持部の背板に向いた面）側から見た斜視図である。
【図１０】別体の表示部を本体に係合させる様子を示す図である。
【図１１】一体型のキャッシュレジスタに代えて、サーマルプリンタおよびプリンタスタンドの表示部を含む、スタンドアローンの簡易な会計処理のシステムを示す図（その１）である。
【図１２】一体型のキャッシュレジスタに代えて、サーマルプリンタおよびプリンタスタンドの表示部を含む、ネットワークで結ばれた簡易な会計処理のシステムを示す図（その１）である。
【図１３】一体型のキャッシュレジスタに代えて、サーマルプリンタおよびプリンタスタンドの表示部を含む、スタンドアローンの簡易な会計処理のシステムを示す図（その２）である。
【図１４】一体型のキャッシュレジスタに代えて、サーマルプリンタおよびプリンタスタンドの表示部を含む、ネットワークで結ばれた簡易な会計処理のシステムを示す図（その２）である。
【発明を実施するための形態】
【００１６】
以下、本発明に係るプリンタスタンドの具体的な実施形態について、図面を参照して説明する。
【００１７】
図１，２，３は、本発明の一実施形態としてのプリンタスタンド１００に取り付けられる主としてＰＯＳに用いられる小型のサーマルプリンタ２００（プリンタ）を示す図であり、図４，５は、プリンタスタンド１００を示す図である。
【００１８】
図示のサーマルプリンタ２００は、例えば図１１に示すように、パーソナルコンピュータやサーバ等の情報処理装置３００と直接接続されて、または図１２に示すように、情報処理装置３００とネットワーク６００を介して接続されて、その情報処理装置３００から出力指示された情報を、用紙（媒体）に印刷して出力する装置であり、その筐体２１０は略直方体の形状を呈し、単独では、図１に示すように、全高が低くなる、いわゆる横置きの姿勢で設置されるものである。
【００１９】
そして、図１の横置きの姿勢における上面（上方を向いた面）２１１には、このサーマルプリンタ２００のサーマルヘッドによって各種情報の印刷された用紙が排出される用紙排出口２２０が形成されている。
【００２０】
また、この上面２１１と反対側の面が、横置き姿勢における載置面となる下面２１２であり、図示手前の面が正面２１３、この正面２１３と反対側の、図示されない面が背面２１４である。
【００２１】
このサーマルプリンタ２００は、上述した横置きの姿勢の他に、図２，３に示すように、背面２１４を下面とし、正面２１３を上面とする縦置きの姿勢で設置することもできる。
【００２２】
この縦置きの姿勢で設置されたサーマルプリンタ２００は、横置きの姿勢よりも重心位置が高くなるため、横置きの姿勢よりも設置の安定性が低下する。
【００２３】
そこで、サーマルプリンタ２００を縦置きの姿勢で安定して設置させるために、サーマルプリンタ２００を、単独での設置姿勢（横置きの姿勢）とは異なる縦置きの姿勢で保持するプリンタスタンド１００が用いられる。
【００２４】
このプリンタスタンド１００は、図４，５に示すように、設置される面に接する、水平面状に広がった基部１１０と、基部１１０から鉛直上方に延びた、サーマルプリンタ２００を縦置きの姿勢で着脱可能に支持する支持部１２０と、支持部１２０の背面側に設けられた液晶等による薄型の表示部１５０とを備えている。
【００２５】
ここで、基部１１０と支持部１２０とは一体の本体１３０を形成している。
【００２６】
基部１１０は、このプリンタスタンド１００が設置されるテーブルや台の上面に直接接する部分であり、この基部１１０の両側面には、取り付けられたサーマルプリンタ２００の背面２１４から基部１１０の内側に向かって延びた電源コードやデータ通信用コード等の接続コード２５０などを基部１１０の外側に引き出すための孔１１１，１１２が形成されている。
【００２７】
この孔１１１，１１２は、使用前はカバーで覆われていて、基部１１０の側面のうち接続コード２５０などを引き出す側のカバーを除去することで、孔１１１，１１２が形成される。
【００２８】
図示の例では、図６に示されている側の孔１１１はカバーに覆われたままであり、図７に示されている側の孔１１２はカバーが除去されていて、このプリンタスタンド１００に取り付けられたサーマルプリンタ２００の接続コード２５０や後述の表示部１５０の接続コード１５１などが引き出される（図示省略）。
【００２９】
なお、これらの接続コード１５１等は、図５，７等に示した表示部１５０の下部に形成された隙間から表示部１５０の正面側に引き出される形態であってもよい。
【００３０】
支持部１２０は、図４に示すように、基部１１０の後端側から鉛直上方に延びた背板１２１およびこの背板１２１の両側縁に沿って形成された側板１２２，１２２と、サーマルプリンタ２００の下部の、背面２１４に近い部分に、下面２１２に沿って形成された中空部２１５（図３参照）に挿入される２つの上方に向いて突出した突起１２３，１２３と、突起１２３，１２３にそれぞれ近接した舌片状の弾性ロック部１２４，１２４とを備えている。
【００３１】
支持部１２０の背板１２１は、取り付けられたサーマルプリンタ２００の下面２１２に対向し、両側板１２２，１２２は、サーマルプリンタ２００を横方向に挟むように、サーマルプリンタ２００の両側壁下部２１６，２１６に外側から接している。
【００３２】
また、この背板１２１には、表示部１５０の電源コードやデータ通信用コード等の接続コード１５１を通すための開口１２５が形成されている。
【００３３】
サーマルプリンタ２００の中空部２１５に挿入された突起１２３，１２３は、サーマルプリンタ２００の両側壁下部２１６，２１６に内側から接しており、これら突起１２３，１２３、側板１２２，１２２および背板１２１に支持された、サーマルプリンタ２００の前後方向および側方への倒れが防止され、サーマルプリンタ２００は縦置きの姿勢で保持される。
【００３４】
また、弾性ロック部１２４，１２４は、サーマルプリンタ２００が縦置きの姿勢でプリンタスタンド１００に取り付けられた状態において、サーマルプリンタ２００の筐体２１０の外縁に係合して、プリンタスタンド１００からサーマルプリンタ２００が容易に脱落するのを防止している。
【００３５】
なお、この弾性ロック部１２４，１２４は、プリンタスタンド１００にサーマルプリンタ２００が取り付けられた状態（図６参照）において、サーマルプリンタ２００の上面２１１（図示の縦置きの姿勢においては正面に相当）の下部を背板１２１に向けて押圧することで、サーマルプリンタ２００の筐体２１０の外縁との係合が外れ、この弾性ロック部１２４，１２４の係合が外れた状態を維持しつつ、サーマルプリンタ２００を上方に引き上げると、プリンタスタンド１００の２つの突起１２３，１２３がサーマルプリンタ２００の中空部２１５から抜け、サーマルプリンタ２００はプリンタスタンド１００から取り外される。
【００３６】
表示部１５０は、プリンタスタンド１００の背板１２１の背面（サーマルプリンタ２００が取り付けられた面とは反対の面（裏面））に設けられているが、本実施形態のプリンタスタンド１００においては、この表示部１５０は、図８に示すように、背板１２１に対して着脱可能とされている。
【００３７】
すなわち、図８に示すようにプリンタスタンド１００の背板１２１の背面には、その両側縁部に合計６個の爪１２６（本体の係合部）と下縁部に１つの爪１２７（本体の係合部）とが備えられ、図９に示すように表示部１５０の背面（背板１２１に対向する面）の両側部には、上下方向に延びた、背板１２１の爪１２６と係合およびその係合を解除可能とされた鍔１５２（表示部の係合部）が形成され、その背面の下端部には、背板１２１の爪１２７と係合およびその係合を解除可能とされた鍔１５３（表示部の係合部）が備えられている。
【００３８】
そして、この背板１２１の上側の左右一対の爪１２６，１２６と背板１２１の本体との間の隙間に、表示部１５０の両鍔１５２，１５２を、その鍔１５２，１５２の下方から挿し入れ、そのまま表示部１５０を降下させて、全ての爪１２６と背板１２１の本体との間の隙間に両鍔１５２，１５２を配置させることで、爪１２６と鍔１５２とが係合し、爪１２７と背板１２１の本体との間の隙間に鍔１５３を配置させることで、爪１２７と鍔１５３とが係合して、表示部１５０は背板１２１に結合されて、一体のプリンタスタンド１００となる。
【００３９】
表示部１５０を背板１２１から取り外して両者を別体化する場合は、取り付けた場合と反対の操作、すなわち表示部１５０を背板１２１に沿って上方に引き上げて、爪１２７と鍔１５３との係合を解除し、爪１２６と鍔１５２との係合を解除すればよい。
【００４０】
ここで、上述したプリンタスタンド１００の表示部１５０は、図９に示すように、この表示部１５０に表示させようとする情報を記憶した記憶メディアが接続されるメディアスロット１５８（メディア接続部）を備え、このメディアスロット１５８に接続されたフラッシュメモリ等の記憶メディアに記憶されている各種の情報が、文字や画像として、表示部１５０に表示される。
【００４１】
また、この表示部１５０は、メディアスロット１５８を備える代わりに、そこに表示させようとする情報を出力する外部の情報処理装置３００が接続される入力部１５９（図９参照）を備えてもよい。もちろん、表示部１５０は、メディアスロット１５８と入力部１５９との両方を備えたものであってもよい。
【００４２】
なお、情報処理装置３００と表示部１５０の入力部１５９とは、図１１に示すように直接接続し、または図１２に示すようにネットワーク６００を介して接続（有線接続であっても、無線接続であってもよい。）することができ、いずれかの接続形態により、情報処理装置３００から表示指示された情報を表示することができる。
【００４３】
ここで、図１１，１２の接続形態は、プリンタスタンド１００の表示部１５０が情報処理装置３００と直接またはネットワーク６００を介しての接続であるが、例えば、図１３に示すように、表示部１５０は、プリンタスタンド１００が保持するサーマルプリンタ２００を介して情報処理装置３００に接続されていてもよいし、図１４に示すように、表示部１５０は、ネットワーク６００に接続されたサーマルプリンタ２００を介して情報処理装置３００に接続されていてもよい。
【００４４】
このように、表示部１５０を、サーマルプリンタ２００を介して情報処理装置３００に接続した形態によっても、図１１，１２の接続形態でのシステムと同様の作用、効果を発揮するとともに、表示部１５０の接続先が、プリンタスタンド１００に取り付けられて表示部１５０に極めて近く配置されたサーマルプリンタ２００となるため、表示部１５０とこのサーマルプリンタ２００とを接続する接続コード１５１の長さを極めて短いものとすることができ、表示部１５０の接続先が情報処理装置３００であるシステム（図１１）やネットワーク６００であるシステム（図１２）よりも、接続コード１５１の長さを短縮することができる。
【００４５】
さらに、表示部１５０自体が、情報処理装置３００を内蔵したものとしてもよい。
【００４６】
そして、この表示部１５０に表示される情報は、例えばこのプリンタスタンド１００に取り付けられたサーマルプリンタ２００が、小売店の会計場所に設置されるものである場合は、この小売店での特売情報などのいわゆるＰＯＰ広告（Point of purchase advertising）である。
【００４７】
すなわち、ＰＯＰ広告とは、紙を広告媒体として、そこに商品名、価格、キャッチコピー、説明文、イラストなどを手描き等したものであるが、本実施形態のプリンタスタンド１００においては、このＰＯＰ広告を電子情報化した電子ＰＯＰ広告を、表示部１５０の表示面に可視画像（文字も含む）として表示する。
【００４８】
一方、サーマルプリンタ２００は、商品の価格等を用紙に印字し、その印字された用紙を用紙排出口２２０から排出するが、プリンタスタンド１００に取り付けられて縦置きの姿勢とされているサーマルプリンタ２００は、その用紙排出口２２０から排出された用紙を会計処理を行う売り手側が取り出す動作を行うため、この用紙排出口２２０は売り手側に向けられて設置されており、この売り手と対面するように位置する買い手すなわち顧客には、プリンタスタンド１００の表示部１５０が向いた状態となる。
【００４９】
そして、プリンタスタンド１００によれば、単にサーマルプリンタ２００の姿勢を変えて保持するだけでなく、表示部１５０に電子ＰＯＰ広告等の情報を表示することで、顧客に対して購買意欲を刺激することができる。
【００５０】
しかも、この表示部１５０は、背板１２１の、サーマルプリンタ２００が設置された面とは反対側の面に設けられているため、表示部１５０の表示面が、サーマルプリンタ２００を使用する売り手側に対面する買い手側の顧客に向けられ、顧客に対して広告機能を有効に作用させることができる。
【００５１】
また、従来の紙媒体によるＰＯＰ広告は、ＰＯＰ広告を描いた紙媒体が倒れないように、その紙媒体を立体的に折り曲げたり、ＰＯＰ広告が描かれた面の裏面側に、倒れ防止用の支えを形成する必要があったため、奥行き方向の占有面積を比較的広く確保する必要があったが、このプリンタスタンド１００の表示部１５０による電子ＰＯＰ広告によれば、プリンタスタンド１００本体の厚さの他には、表示部１５０の厚さ分、増加するだけであるため、従来の紙媒体によるＰＯＰ広告よりも、設置場所での占有面積を狭くすることができる。
【００５２】
もちろん、この表示部１５０に表示させる電子ＰＯＰ広告は、情報処理装置３００の制御によって、所定の時間ごとに別の情報に順次あるいはランダムに切り換えることもでき、従来の紙媒体によるＰＯＰ広告よりも、多くの情報を多様な見せ方で提供することができるとともに、タイムセールのお知らせのような時刻等が限定された情報を、タイムリーに表示することもできる。
【００５３】
また、表示部１５０に表示する情報としては、電子ＰＯＰ広告だけでなく、キャッシュレジスターの表示部に表示されるような、商品の会計処理の逐次の情報を表示するようにしてもよい。
【００５４】
なお、小売店においてキャッシュレジスタの代わりの会計処理のシステムとして用いる場合には、情報処理装置３００、サーマルプリンタ２００および表示部１５０が設けられたプリンタスタンド１００に加えて、図１１，１２に示すように、現金を収納したキャッシュドロワ４００と商品に添付されたバーコード等を読み取るスキャナ５００を付加すればよい。
【００５５】
そして、表示部１５０は、表示面上に重ね合わされたタッチパネル１５７（図８参照）を備え、表示部１５０の表示面に表示された情報とタッチパネル１５７のうちその情報が表示された領域に対応した部分とにより、入力インターフェースとして機能させてもよい。
【００５６】
上述した小売店などにおいては、現金での会計処理だけでなく、クレジットカードでの決済も想定されるが、このクレジットカードの決済では、使用者に対して暗証番号の入力が求められる。
【００５７】
そこで、上述したプリンタスタンド１００の表示部１５０に、テンキーの画像（表示された情報）をソフトキーボードとして表示し、タッチパネルのうちテンキーの各番号の画像にそれぞれ対応する部分が入力インターフェースとして機能させることで、顧客に対して、その表示部１５０のタッチパネルにより暗唱番号を入力させることで、ハードウェアとしてのテンキー入力装置を別途設けることなく、入力インターフェースを実現し、クレジットカードによる決済も行うことができる。
【００５８】
さらに、所定の買い物ポイントがたまった場合や特定の商品の購入などによって、会計処理の際に、所定の特典等が顧客に与えられる場合に、表示部１５０にタッチパネルが設けられていることにより、その特典を顧客が選択する操作の入力等を、表示部１５０に対して行うことができ、プリンタスタンド１００をさらに有用なものとすることができる。
【００５９】
なお、プリンタスタンド１００の背板１２１から表示部１５０を取り外すことができるため、表示部１５０のメンテナンス等の期間中も、表示部１５０を取り外した状態でプリンタスタンド１００を使用することができる。
【００６０】
そして、表示部１５０が取り外された状態（表示部１５０と本体１３０とが別体化された状態）においては、上述した背板１２１の爪１２６，１２７は、これらの爪１２６，１２７と背板１２１の間の隙間に、ＰＯＰ広告が記載された従来の紙媒体（板状の媒体）を単体で（裏面側に支えを設けることなく）挟んで保持することもできるため、上述した表示部１５０のメンテナンス中など、表示部１５０が別体化されているときも、プリンタスタンド１００の利用価値を高めることができる。
【００６１】
本実施形態のプリンタスタンド１００は、主として、小売業の会計場所においてキャッシュレジスタの代わりの会計処理のシステムの一部として用いられるサーマルプリンタ２００用を想定して説明したが、この実施形態に用いられるサーマルプリンタ２００は、このような業態での使用形態の他に、病院や金融機関における受付順番待ちの番号札の発行や、書籍売り場、図書館における探索対象の書籍の配置場所等を示す検索結果の発行や、その他、一般の計測機器等による計測値の印刷などにも用いられる。
【００６２】
そして、そのサーマルプリンタ２００を取り付けたプリンタスタンド１００の表示部１５０には、そのサーマルプリンタ２００が用いられる場所（小売店、病院、金融機関、書籍売り場、図書館等）ごとに、適切な情報を表示させることができる。
【００６３】
したがって、本実施形態に係るプリンタスタンド１００によれば、サーマルプリンタ２００の姿勢を変えて保持するだけでなく、表示部１５０に、このサーマルプリンタ２００が使用される場所ごとに適した有用な情報を表示させることができ、プリンタスタンド１００としての利用価値を向上させることができる。
【符号の説明】
【００６４】
１００  プリンタスタンド
１１０  基部
１２０  支持部
１２３  突起
１２４  弾性ロック部
１３０  本体
１５０  表示部
２００  サーマルプリンタ（プリンタ）
２１０  筐体
２１１  上面
２１２  下面
２１３  正面
２１４  背面
２１５  中空部
２２０  排出口
【図１】
2011230330.tif 000003
【図２】
2011230330.tif 000004
【図３】
2011230330.tif 000005
【図４】
2011230330.tif 000006
【図５】
2011230330.tif 000007
【図６】
2011230330.tif 000008
【図７】
2011230330.tif 000009
【図８】
2011230330.tif 000010
【図９】
2011230330.tif 000011
【図１０】
2011230330.tif 000012
【図１１】
2011230330.tif 000013
【図１２】
2011230330.tif 000014
【図１３】
2011230330.tif 000015
【図１４】
2011230330.tif 000016
【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
設置される面に接する基部と、プリンタが、その設置姿勢を変化させた状態で着脱可能に取り付けられる支持部とが一体的に形成された本体、および情報を表示する表示部を備え、
前記表示部が、前記本体のうち、前記プリンタが取り付けられる面と反対の面側に配置されるとともに、前記支持部が、前記プリンタの用紙排出口が前記表示部の向きと反対側に向けられた状態で前記プリンタを取り付けるものであることを特徴とするプリンタスタンド。
【請求項２】
前記表示部と前記本体とはそれぞれ、互いに係合することにより前記表示部と前記本体とを一体化するとともに、互いの係合を解除することにより前記表示部と前記本体とを別体化するように、係合およびその解除を可能とした係合部を備えていることを特徴とする請求項１に記載のプリンタスタンド。
【請求項３】
前記本体に備えられた係合部は、前記表示部が別体化されている状態において、板状の媒体を保持可能の複数の爪により形成されていることを特徴とする請求項２に記載のプリンタスタンド。
【請求項４】
前記表示部は、前記表示部に表示させようとする情報を出力する外部の情報処理装置と接続される入力部、および前記表示部に表示させようとする情報を記憶した記憶メディアが接続されるメディア接続部のうち少なくとも一方を備えたことを特徴とする請求項１から３のうちいずれか１項に記載のプリンタスタンド。
【請求項５】
前記表示部は、タッチパネルを備え、前記表示部に表示された情報と前記タッチパネルのうち前記情報が表示された領域に対応した部分とにより、入力インターフェースとして機能することを特徴とする請求項１から４のうちいずれか１項に記載のプリンタスタンド。
【手続補正２】
【補正対象書類名】明細書
【補正対象項目名】００１２
【補正方法】変更
【補正の内容】
【００１２】
すなわち、本発明に係るプリンタスタンドは、設置される面（キャッシャーの台の上面など）に接する基部と、プリンタが、その設置姿勢を変化させた状態で着脱可能に取り付けられる支持部とが一体的に形成された本体、および情報を表示する表示部を備え、表示部が、本体のうち、プリンタが取り付けられる面と反対の面側に配置されるとともに、支持部が、プリンタの用紙排出口が表示部の向きと反対側に向けられた状態でプリンタを取り付けるものであることを特徴とする。
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
設置される面に接する基部と、プリンタが、その設置姿勢を変化させた状態で着脱可能に取り付けられる支持部とが一体的に形成された本体、および情報を表示する表示部を備え、
前記表示部と前記本体とはそれぞれ、互いに係合することにより前記表示部と前記本体とを一体化するとともに、互いの係合を解除することにより前記表示部と前記本体とを別体化するように、係合およびその解除を可能とした係合部を有し、
前記本体に備えられた係合部は、前記表示部が別体化されている状態において、板状の媒体を保持可能の複数の爪により形成されていることを特徴とするプリンタスタンド。
【請求項２】
前記表示部は、前記本体のうち、前記プリンタが取り付けられる面と反対の面側に備えられていることを特徴とする請求項１に記載のプリンタスタンド。
【請求項３】
前記表示部は、前記表示部に表示させようとする情報を出力する外部の情報処理装置と接続される入力部、および前記表示部に表示させようとする情報を記憶した記憶メディアが接続されるメディア接続部のうち少なくとも一方を備えたことを特徴とする請求項１または２に記載のプリンタスタンド。
【請求項４】
前記表示部は、タッチパネルを備え、前記表示部に表示された情報と前記タッチパネルのうち前記情報が表示された領域に対応した部分とにより、入力インターフェースとして機能することを特徴とする請求項１から３のうちいずれか１項に記載のプリンタスタンド。
【手続補正２】
【補正対象書類名】明細書
【補正対象項目名】００１２
【補正方法】変更
【補正の内容】
【００１２】
すなわち、本発明に係るプリンタスタンドは、設置される面（キャッシャーの台の上面など）に接する基部と、プリンタが、その設置姿勢を変化させた状態で着脱可能に取り付けられる支持部とが一体的に形成された本体、および情報を表示する表示部を備え、前記表示部と前記本体とはそれぞれ、互いに係合することにより前記表示部と前記本体とを一体化するとともに、互いの係合を解除することにより前記表示部と前記本体とを別体化するように、係合およびその解除を可能とした係合部を有し、前記本体に備えられた係合部は、前記表示部が別体化されている状態において、板状の媒体を保持可能の複数の爪により形成されていることを特徴とする。